(57)【特許請求の範囲】
【請求項１】
フィールド・サービス可能アセンブリであって、
フレームと、
背面をそれぞれが有し背合わせ配置で前記フレームに移動可能に取り付けされた、第１および第２のサイド・アセンブリであって、前記サイド・アセンブリのうちの少なくとも一方が、
カバー・パネル、
前記カバー・パネルの背後に配置された電子ディスプレイ、
前記電子ディスプレイの背後に配置されたバックライト、
循環ガスを受けるように構成された第１のチャネル、および、
周辺空気を受けるように構成された第２のチャネル
を備える、前記第１および第２のサイド・アセンブリと、
前記第１および第２のサイド・アセンブリの前記背面と前記フレームとの間の空間内に位置する、キャビティと、
前記キャビティ内に位置決めされ複数の電子部品を受容するように構成された、電子機器プレートであって、前記電子機器プレートは、前記第１および第２のサイド・アセンブリが開位置と閉位置との間で移動するときに静止したままであるように構成され、前記開位置への移動により、前記電子機器プレートが露出し、その上にある電子部品へのアクセスが容易になる、前記電子機器プレートと、
前記キャビティおよび前記第１のチャネルを含む、閉ループ経路と、
前記第１のサイド・アセンブリの前記第２のチャネルを含む、第１の開ループ経路と、
前記第２のサイド・アセンブリの前記第２のチャネルを含む、第２の開ループ経路と
を備える、フィールド・サービス可能アセンブリ。
【請求項２】
前記フレームに配置された第１および第２のフレーム・ヒンジ・プレートと、
前記第１および第２のサイド・アセンブリのそれぞれに配置された第１および第２のディスプレイ・ヒンジ・プレートと
をさらに備え、
前記第１および第２のフレーム・ヒンジ・プレートは、前記第１および第２のサイド・アセンブリが外側に回転できるように前記第１および第２のディスプレイ・ヒンジ・プレートと相互作用するように構成される、
請求項１に記載のフィールド・サービス可能アセンブリ。
【請求項３】
複数の締結具と、
前記第１および第２のフレーム・ヒンジ・プレートならびに前記第１および第２のディスプレイ・ヒンジ・プレートに配置された複数のアパーチャまたはノッチであって、前記サイド・アセンブリを前記フレームにそれぞれ取り付けるように、前記第１または第２のフレーム・ヒンジ・プレートを通って前記第１または第２のディスプレイ・ヒンジ・プレート内へと延びる単一締結具を収容するために配置された、前記複数のアパーチャまたはノッチと
をさらに備える、
請求項２に記載のフィールド・サービス可能アセンブリ。
【請求項４】
前記複数の締結具は、ピンを備え、
前記ピンは、それが使用される前記サイド・アセンブリの実質的に全重量を支承するように構成される、
請求項３に記載のフィールド・サービス可能アセンブリ。
【請求項５】
前記第１のチャネルは、前記カバー・パネルと前記電子ディスプレイとの間に位置する、
請求項１に記載のフィールド・サービス可能アセンブリ。
【請求項６】
前記第２のチャネルは、前記バックライトの背後に位置する、
請求項５に記載のフィールド・サービス可能アセンブリ。
【請求項７】
前記フレームは、地面に取り付けられるように構成される、
請求項１に記載のフィールド・サービス可能アセンブリ。
【請求項８】
前記フレームは、車両ルーフに取り付けられるように構成される、
請求項１に記載のフィールド・サービス可能アセンブリ。
【請求項９】
外部電源および通信ネットワークと電気接続にあるように構成されたコネクタをさらに備える、
請求項１に記載のフィールド・サービス可能アセンブリ。
【請求項１０】
前記第１および第２のサイド・アセンブリは、前記第１および第２のサイド・アセンブリをそれぞれ開位置と閉位置との間で動かす助けとなるように構成された第１および第２の支援装置によって、前記開位置と前記閉位置との間での回転ように、構成され、
前記キャビティは、前記第１および第２のサイド・アセンブリが前記閉位置にある間、実質的な気密を保持するように構成される、
請求項１に記載のフィールド・サービス可能アセンブリ。
【請求項１１】
前記電子機器プレートは、サーバ・ラックを備える、
請求項１に記載のフィールド・サービス可能アセンブリ。
【請求項１２】
前記フレーム上に位置し、ケーブル配線を前記キャビティ内へと通すことができるように構成された、１つまたは複数の貫通口装置をさらに備える、
請求項１に記載のフィールド・サービス可能アセンブリ。
【請求項１３】
フィールド・サービス可能アセンブリであって、
実質的な矩形形状を形成するように接続されたトップ・パネル、右サイド・パネル、左サイド・パネルおよびボトム・パネルを備える、フレームと、
背合わせ配置で前記フレームに移動可能に取り付けられた第１のサイド・アセンブリであって、
透明層、
前記透明層の背後に位置する電子ディスプレイ、
循環ガスを受けるように構成され、且つ前記透明層と前記電子ディスプレイとの間に配置された第１のチャネル、および、
前記電子ディスプレイの背後に位置し、且つ周辺空気の第１の流れを受けるように構成された第２のチャネル
を備える、前記第１のサイド・アセンブリと、
前記フレームに移動可能にマウントされた第２のサイド・アセンブリであって、
カバー、
前記カバーから離れて、前記カバーと実質的に平行に位置するプレート、および、
前記カバーと前記プレートとの間に位置し、且つ周辺空気の第２の流れを受けるように構成された第３のチャネル
を備える、前記第２のサイド・アセンブリと、
複数のヒンジであって、前記複数のヒンジのそれぞれが、前記フレームと前記第１および第２のサイド・アセンブリの一方又は双方とに接続され、且つ、前記第１および第２のサイド・アセンブリの開位置と閉位置との間の移動を容易にさせる、前記複数のヒンジと、
前記第１および第２のサイド・アセンブリと前記フレームとの間の空間内に位置し、前記第１のチャネルからの循環ガスを受けるように構成された、キャビティと、
前記キャビティ内に、前記サイド・アセンブリの背面同士の間に、そこから間隔を置いてそれに対して実質的に平行に位置決めされた電子機器プレートであって、前記電子機器プレートは、前記第１および第２のサイド・アセンブリが前記開位置と前記閉位置との間で移動しても静止したままであるように構成され、前記電子機器プレートは、複数の電子部品を受容するように構成され、前記第１または第２のサイド・アセンブリの前記開位置への移動により、固定のプレートに設置された電子部品へのアクセスが容易になる、前記電子機器プレートと
を備え、
前記第１および第２のサイド・アセンブリは、背合わせ配置で前記フレームにマウントされる、
フィールド・サービス可能アセンブリ。
【請求項１４】
前記電子機器プレートは、１Ｕサーバ・ラックを備える、
請求項１３に記載のフィールド・サービス可能アセンブリ。
【請求項１５】
前記複数のヒンジのそれぞれは、
第１および第２のフレーム・ヒンジ・プレートであって、前記フレームの両側部に配置される前記第１および第２のフレーム・ヒンジ・プレートと、
第１および第２のディスプレイ・ヒンジ・プレートであって、前記サイド・アセンブリが実質的な水平軸の周りでの回転運動ように構成されるように、前記サイド・アセンブリの上縁に沿って配置される前記第１および第２のディスプレイ・ヒンジ・プレートと、
を備える、
請求項１３に記載のフィールド・サービス可能アセンブリ。
【請求項１６】
前記複数のヒンジのそれぞれは、
第１および第２のフレーム・ヒンジ・プレートであって、前記フレームの同じ側部に配置される前記第１および第２のフレーム・ヒンジ・プレートと、
第１および第２のディスプレイ・ヒンジ・プレートであって、前記サイド・アセンブリが実質的な垂直軸の周りでの回転運動ように構成されるように、前記サイド・アセンブリの同じ側部に沿って配置される前記第１および第２のディスプレイ・ヒンジ・プレートと、
を備える、
請求項１３に記載のフィールド・サービス可能アセンブリ。
【請求項１７】
フィールド・サービス可能アセンブリであって、
実質的な矩形形状を有するフレームであって、前記フレームの両側部に配置された第１および第２のフレーム・ヒンジ・プレートを備える、前記フレームと、
実質的な水平軸に沿って外側に第１および第２のサイド・アセンブリの回転運動が可能であるように背合わせ配置で前記フレームに取り付された、前記第１および第２のサイド・アセンブリであって、前記第１および第２のサイド・アセンブリのそれぞれが、
透明層、
前記透明層の背後に配置された電子ディスプレイ、
前記電子ディスプレイの背後に配置されたバックライト、
前記バックライトの背後に配置された、周辺空気を受けるように構成された波形層、および、
前記透明層と前記電子ディスプレイとの間に位置するチャネルであって、第１のチャネルが循環ガスを受けるように構成された、前記チャネル
を備える、前記第１および第２のサイド・アセンブリと、
前記第１および第２のサイド・アセンブリの背面と前記フレームとの間に配置された、共通のキャビティであって、前記共通のキャビティは、前部チャネルと気体連通している、前記共通のキャビティと、
前記キャビティ内に位置決めされ複数の電子部品のいずれかを交換可能に受容するように構成され、前記第１および第２のサイド・アセンブリが開位置と閉位置との間で回転しても静止したままになるように構成された、サーバ・ラックであって、前記開位置への移動により、前記サーバ・ラックが露出し、その上にある電子部品へのアクセスが容易になる、前記サーバ・ラックと
を備える、フィールド・サービス可能アセンブリ。
【発明の詳細な説明】
【技術分野】
【０００１】
（関連出願の相互参照）
[0001]  
本出願は、２０１７年４月２７日出願の米国仮特許出願第６２／４９１，１０６号、２０１７年５月５日出願の米国仮特許出願第６２／５０２，３３７号、２０１７年７月１１日出願の米国非仮特許出願第１５／６４７，２１９号、２０１７年１０月３日出願の米国非仮特許出願第１５／７２３，３１１号、２０１８年２月２日出願の米国非仮特許出願第１５／８８６，８８９号の利得を主張する。これらすべての開示は、参照によってその全体が本明細書に組み込まれる。
【０００２】
（技術分野）
[0002]  
本発明の例示的な実施形態は、一般に、電子ディスプレイのためのアセンブリに関する。
【背景技術】
【０００３】
（発明の背景および概要）
[0003]  
電子ディスプレイは、屋内だけでなく、屋外での使用も一般的になってきている。１つの例示的な用途としては、非限定的に、デジタル屋外広告の市場であり、電子ディスプレイの使用が静的なポスターに取って代わりつつある。電子ディスプレイの使用は、特に、画像をすぐに変えることができるだけでなく、ビデオおよびインタラクティブ・ディスプレイの使用が可能になるので、有利である。そのようなディスプレイは、これらに限定されないが、掲示板、車両の上部、バス停のシェルタ、キオスク、歩道、スタジアム、建物などを含む、様々な場所に設置されている。
【０００４】
[0004]  
そのような屋外、およびいくつかの屋内のディスプレイは、環境条件からそれらを保護し、ディスプレイの動作に使用される様々な電子部品を保持するために、たいていハウジングに入れられている。環境条件および他の潜在的な危険からディスプレイを保護する努力にもかかわらず、ディスプレイ自体およびその関連の電子部品の故障が起こる。そのような故障が起きたときには、ディスプレイ自体またはそれらの様々な電子部品を修理、交換または別のやり方でサービス（本明細書では以降、集合的に「サービスを実施する」または「サービス」とする）を行う必要がしばしばある。そのような故障がなくても、定期的もしくは予防的な保守の実施、または単なる検査目的のため、ディスプレイまたはその様々な電子部品にアクセスすることが望まれることがある。さらに、電子機器のための、封止され、電力供給され、接続され、および／または冷却されるキャビティの提供も望まれることがある。最終的に、アセンブリの構成を変えることが望まれることもある。たとえば、非限定的に、両面の電子ディスプレイを、片方を電子ディスプレイ、もう片方を静的なポスター・ディスプレイに変えることが望まれることもある。電子ディスプレイの現在のアセンブリでは、ディスプレイおよび関連の電子部品のサービスの実施が難しいまたは不可能である。したがって、電子ディスプレイのフィールド・サービス可能かつ交換可能なアセンブリが必要とされている。
【０００５】
[0005]  
さらに、そのようなアセンブリは、一般的に、外部電源および通信ネットワークに接続される。そのような接続は、しばしば、ユーティリティ・ラインとの相互作用を必要とする。概して、これらのユーティリティ・ラインとの相互作用が、任意のサービス作業に追加の調節をもたらし、専門的な知識を持つ技術者が必要となる。そのような労力は、概して、費用、時間およびそうしたサービスに関わる労力を増加させる。したがって、電子ディスプレイのフィールド・サービス可能かつ交換可能なアセンブリが必要とされている。
【発明の概要】
【課題を解決するための手段】
【０００６】
[0006]  
本発明は、電子ディスプレイのフィールド・サービス可能かつ交換可能なアセンブリである。単一のサイド・アセンブリ、または背合わせの対になったサイド・アセンブリは、フレームにヒンジ取り付けされ得る。より具体的には、サイド・アセンブリは、１つもしくは複数（ｏｎｅ  ｏｒ  ｍｏｒｅ）のデジタル・ディスプレイ、１つもしくは複数のカバー、１つもしくは複数のポスター・ホルダ（照明付きもしくは照明無し）、またはそのいくつかの組み合わせを背合わせ構成で受容するように構成されるフレームを備えることができる。閉ループの循環ガスおよび開ループ周辺空気は、アセンブリ内を流れることができる。フレームは、ハウジングによって、少なくとも一部が囲繞され得る。背合わせのサイド・アセンブリを用いる例示的な実施形態では、フレームとサイド・アセンブリは、電子機器キャビティを囲むことができる。各サイド・アセンブリは、フレームの上側部分にヒンジ連結され、電子機器キャビティ内に位置する電子部品へのアクセスを可能にするように外側に揺動するように構成され得る。キャビティは、電子機器のために封止、冷却、電力供給および／または接続され得る。いくつかの電子部品は、２つのサイド・アセンブリ同士の間に配置されるプレートに取り付けられ得る。他の実施形態では、（電子部品とともに）プレートは、サイド・アセンブリのうちの一方に取り付けられる、またはそれぞれのサイド・アセンブリの一部を形成することができる。
【０００７】
[0007]  
単一のサイド・アセンブリを用いる例示的な実施形態でも、サイド・アセンブリは同様に取り付けられ得る。しかし、アクセス・パネルは、電子機器キャビティに後ろからもアクセスできるように、アセンブリの背面を包囲することができる。アクセス・パネルは、さらに、ポスターまたはカバーを受容するように構成され得る。
【０００８】
[0008]  
いずれにしても、一対の支援装置は、各サイド・アセンブリまたはアクセス・パネルに使用され、サイド・アセンブリの開位置と閉位置との間での動きならびにサイド・アセンブリの開位置または閉位置での固定を助けることに使用され得る。例示的な実施形態では、いくつかの電子部品は、必要な電子部品の総数を減少させるように両方のサイド・アセンブリで共有することができる。支援装置は、やはりまた、サイド・アセンブリの開位置または閉位置での固定を助けることができる。サイド・アセンブリおよび／またはアクセス・パネルは、電子部品およびサイド・アセンブリのサービス実施のために開けることができる。必要な場合、サイド・アセンブリ自体をフレームから取り外し交換することもできる。
【０００９】
[0009]  
１つまたは複数のデジタル・ディスプレイ、１つまたは複数のカバー、および１つまたは複数のポスター・ホルダは、ブラケットとピンを用いてフレームに機械的に取り付けられ得る。ブラケットとピンは、１つまたは複数のデジタル・ディスプレイ、１つまたは複数のカバーおよび１つまたは複数のポスター・ホルダの主なまたは唯一の機械的支持として機能するように構成され得る。このように、デジタル・ディスプレイ、カバーまたはポスター・ホルダは、サービス実施のためにフレームから簡単かつ迅速に取り外すことができる。例示的な実施形態では、外部電力および通信用の接続部は、フレーム上、あるいは、１つもしくは複数のデジタル・ディスプレイ、１つもしくは複数のカバー、または１つもしくは複数のポスター・ホルダの間に配置されるプレート上に配置され、したがって、１つもしくは複数のデジタル・ディスプレイ、１つもしくは複数のカバー、または１つもしくは複数のポスター・ホルダのサービスは、ユーティリティ・ラインとの接続を妨げずに、接続ポイントで電力および通信を接続解除することで実施することができる。このように、外部電力および通信用の接続部は、影響を受けないで済むことが多い。
【００１０】
[0010]  
状況により、アセンブリの冷却能力を向上させることが有利となることがある。たとえば、非限定的に、アセンブリに追加の感温装置もしくは発熱装置を追加する、電子ディスプレイもしくは照明素子をより高い輝度にさせる、高温もしくは高太陽光負荷の極限環境で作動させる、またはサイド・アセンブリのうちの１つもしくは複数により大きな電子ディスプレイを提供し作動させることが望まれることもある。したがって、冷却が向上した電子ディスプレイのフィールド・サービス可能かつ交換可能なアセンブリが必要とされている。
【００１１】
[0011]  
本発明は、冷却が向上した電子ディスプレイのフィールド・サービス可能かつ交換可能なアセンブリを提供する。例示的な実施形態では、周辺空気の追加の開ループ・チャネルが、フレームの両側に取り付けられるサイド・アセンブリのうちの一方または両方に追加され得る。例示的な実施形態では、追加の開ループ・チャネルは、カバーまたはポスター・ホルダを備えるサイド・アセンブリだけに追加されるが、追加の開ループ・チャネルは、デジタル・ディスプレイを備えるサイド・アセンブリに追加され得ることも企図される。追加の開ループ・チャネルは、一方または両方のサイド・アセンブリに追加され得ることも企図される。
【００１２】
（図面の簡単な説明）
[0012]  
上述の特徴に加え、本発明の他の態様は、以下の図面および例示的な実施形態の記述から容易に明らかになるであろう。なお、いくつかの図面にわたる同じ参照符号は、同一または等価の特徴を表している。
【図面の簡単な説明】
【００１３】
[0013]  
【図１】本発明による例示的な一アセンブリの正面斜視図である。[0014]
【図２】アセンブリのその他の構成要素を示すためにスタンドが取り外された状態の、図１のアセンブリの正面斜視図である。[0015]
【図３】アセンブリのうちの１つが開位置にある、図２のアセンブリの正面斜視図である。[0016]
【図４】アセンブリのうちの１つが取り外された状態の、図２のアセンブリの正面斜視図である。[0017]
【図５】循環ガスおよび周辺空気の例示的な流路を示す、図４のアセンブリの正面斜視図である。[0018]
【図６】循環ガスおよび周辺空気の例示的な流路を示すために他の構成要素から離されている、例示的なディスプレイ・アセンブリの上断面図である。[0019]
【図７】切断線Ａ−Ａおよび切断線Ｂ−Ｂも示す、アセンブリの他の例示的な実施形態の正面斜視図である。[0020]
【図８】両方のディスプレイ・アセンブリが開位置にある、図７のアセンブリの正面斜視図である。[0021]
【図９】図８のアセンブリの分解正面斜視図である。[0022]
【図１０】図７の線Ａ−Ａに沿った上断面図である。[0023]
【図１１】図７の線Ｂ−Ｂに沿った側断面図である。[0024]
【図１２Ａ】他の例示的なアセンブリの背面斜視図である。[0025]
【図１２Ｂ】他の例示的なアセンブリの背面斜視図である。[0026]
【図１３】細部(DETAIL)Ａも示す、他の例示的なアセンブリの正面斜視図である。[0027]
【図１４】ディスプレイ・アセンブリのうちの１つが開位置にある、図１３のアセンブリの正面斜視図である。[0028]
【図１５】ディスプレイ・アセンブリの両方が開位置にある、細部(DETAIL)Ｂも示す、図１３のアセンブリの背面斜視図である。[0029]
【図１６】ディスプレイ・アセンブリのうちの１つが取り外された状態の、図１４のアセンブリの正面斜視図である。[0030]
【図１７】図１３の細部Ａの詳細な上面斜視図である。[0031]
【図１８Ａ】ディスプレイ・アセンブリが閉位置にあり、ストラットが他の状態に隠されている、図１５の細部Ｂの詳細斜視図である。[0032]
【図１８Ｂ】ディスプレイ・アセンブリが開位置にある、図１８Ａのアセンブリの詳細な上面斜視図である。[0033]
【図１９Ａ】他の例示的なアセンブリの縦断面図である。[0034]
【図１９Ｂ】他の例示的なアセンブリの縦断面図である。[0035]
【図２０】図１９Ａのアセンブリの横断面図である。
【発明を実施するための形態】
【００１４】
（例示的な実施形態の詳細な説明）
[0036]  
次に、本発明の様々な実施形態を添付の図面を参照して詳細に述べる。以下の説明において、詳細な構造および構成要素などの特定の詳細は、本発明のこれらの実施形態の全体的な理解を助けるものに過ぎない。したがって、当業者には、本明細書に記載の実施形態に、本発明の範囲および趣旨から逸脱することなく様々な変更および修正を加えることができると理解されたい。さらに、周知の機能および構造の説明は、明確かつ簡潔にするために省いてある。
【００１５】
[0037]  
図１は、本発明による例示的なアセンブリ１０の正面斜視図である。アセンブリ１０は、ハウジング６内に配置される１つまたは複数のサイド・アセンブリ１４を含むことができる。ハウジング６は、アセンブリ１０を地面に取り付けるためのスタンド８を備えることができる。しかし、他の例示的な実施形態では、アセンブリ１０は、これらに限定されないが、バス停のシェルタ、柱、壁、建物、車両のルーフ・ラックなど、他の物体に取り付けることもできる。いずれにしても、吸気開口１６は、ハウジング６の頂部に位置することができる。本明細書でより詳しく述べるように、排気開口９は、ハウジング６の底部に位置することができる。しかし、吸気開口１６がハウジング６の底部に位置し、排気開口９がハウジング６の頂部に位置することができることも企図される。吸気開口１６および排気開口９についての他の位置も企図される。いずれにしても、吸気開口１６は、さらに、フレーム１２を貫通して延在することができる。同様に、排気開口９もフレーム１２を貫通して延在することができる。あるいは、空気が、排気開口９から入って吸気開口１６から出てもよい。
【００１６】
[0038]  
図２は、アセンブリ１０のその他の構成要素を示すためにスタンド６が取り外された状態の、図１のアセンブリ１０の正面斜視図である。サイド・アセンブリ１４は、フレーム１２に取り付けられ得る。フレーム１２は、実質的な矩形形状であり、内側および外側の表面またはパネルを有することができる。例示的な実施形態では、フレーム１２は、相互連結される上側、下側、右側および左側の部品を備えることができるが、その前面または背面は実質的に開いていてよく、したがって、サイド・アセンブリ１４は、前記前面および背面の開口を実質的に覆うようにフレーム１４に取り付けられ得る。フレーム１２は、第１および第２のサイド・アセンブリ１４を背合わせ配置で受容するように構成され得る。サイド・アセンブリ１４は、デジタル・ディスプレイ、カバー（すなわち、アクセス・パネル）、ポスター・ホルダ（照明付きもしくは照明無し）、またはそのいくつかの組み合わせなどを備えることができる。ポスター・ホルダは、静的なポスターを受容するように構成され、バック照明またはエッジ照明されてもよい。例示的な実施形態では、カバーおよびポスター・ホルダは、アクセス・パネルとして機能することができるが、アセンブリ１０の内部へのアクセスを可能にするために、上述したもののいずれかを動かすまたは取り外してもよい。たとえば、非限定的に、アセンブリ１０は、背合わせに配置される２つの電子ディスプレイ、またはポスター・ホルダと背合わせに配置される単一の電子ディスプレイを備えることができる。いずれにしても、フレーム１２は、スタンド８、他の物体、または直接地面に連結されるように構成され得る。
【００１７】
[0039]  
単一のサイド・アセンブリ１４を備える実施形態では、フレーム１２は、５面の箱とすることができる。すなわち、フレーム１２は、相互連結される上側、下側、右側および左側の部品、ならびに前面または背面のパネルを備えることができる。しかしながら、フレーム１２は、その背面または前面が実質的に開いていてよく、前記開口を実質的に覆うようにサイド・アセンブリ１４が取り付けられ得る。
【００１８】
[0040]  
本明細書においてより詳細に説明されるように、アセンブリ１０は、その動作のための電子部品３０を収納する電子機器キャビティ１８をさらに備えることができる。電子機器キャビティ１８は、サイド・アセンブリ１４とフレーム１２との間の空間に位置することができる。換言すると、第１および第２のサイド・アセンブリ１４は、共通の電子機器キャビティ１８を共有することができる。
【００１９】
[0041]  
図１および図２は、サイド・アセンブリ１４がフレーム１２に接触するまたは地面に対して実質的に平行に配置されるような閉位置にあるサイド・アセンブリ１４を示している。本明細書においてより詳細に説明されるように、サイド・アセンブリ１４は、ヒンジ装置２２によってフレーム１２にヒンジ取り付けされ得る。第１および第２のヒンジ装置２２は、第１および第２のサイド・アセンブリ１４をフレーム１２にヒンジ式に連結するように、フレーム１２の両側部に配置され得る。第１および第２のヒンジ装置２２は、同じであってもよく、または異なっていてもよい。たとえば、非限定的に、デジタル・ディスプレイを備えるサイド・アセンブリ１４のヒンジ取り付けに使用されるヒンジ装置２２は、ポスター・ホルダを備えるサイド・アセンブリ１４の取り付けに使用されるヒンジ装置２２と同じてあってよく、または異なっていてもよい。例示的な実施形態では、ヒンジ装置２２は、サイド・アセンブリ１４が実質的な水平軸に沿って外側に回転するように、フレーム１２の上側部分に配置され得る。他の例示的な実施形態では、ヒンジ装置２２は、サイド・アセンブリ１４が実質的な垂直軸に沿って外側に回転するように、フレーム１２の１つの縁に沿って配置され得る。ヒンジ装置２２のあらゆる配置が企図される。
【００２０】
[0042]  
図３は、サイド・アセンブリ１４のうちの１つが開位置にある、図２のアセンブリ１０の正面斜視図である。サイド・アセンブリ１４は、ヒンジ装置２２によって、サイド・アセンブリ１４の底部がフレーム１２から外側に揺動して遠ざかるような開位置へと回転することができる。それによって、電子機器キャビティ１８へのアクセスが可能になり、作業員は内部に配置されている電子部品３０のサービスを実施することができる。
【００２１】
[0043]  
アセンブリ１０は、好ましくは第１の端部と第２の端部を有する、一対の支援装置２０をさらに備えることができるが、これは必須ではない。例示的な実施形態では、支援装置２０は、ガス・スプリングとすることができるが、あらゆるタイプの支援装置が企図される。そのような支援装置２０は、これに限定されないが、サイド・アセンブリ１４の開位置と閉位置との間の動きを助けるため、ならびに、または別法として、サイド・アセンブリ１４を開位置または閉位置に一時的に固定するために機械的利点を利用する任意の装置を含むことができる。他の例示的な支援装置２０としては、これらに限定されないが、ストラット、ばね、滑車装置、釣合いおもり、レバー、歯車、テザー、鎖、モータ、ねじまたはそのいくつかの組み合わせなどが挙げられる。
【００２２】
[0044]  
支援装置２０の第１の端部は、サイド・アセンブリ１４のどちらかの側部に取り付けられ、第２の端部は、フレーム１２の内部のどちらかの側部に取り付けられ得る。例示的な実施形態では、支援装置２０の第１の端部は、第２の端部よりも下に取り付けられるが、逆も企図される。支援装置２０は、開位置と閉位置との間におけるサイド・アセンブリ１４の動きを助けるだけでなく、サイド・アセンブリ１４の開位置または閉位置での一時的な固定を助けるように構成され得る。
【００２３】
[0045]  
例示的な実施形態では、サイド・アセンブリ１４は、ロック解除されない限り通常は閉位置から動かされないように、フレーム１２またはハウジング６に対してロック可能であってよい。これは、電子機器キャビティ１８へのアクセスを、許可された作業員に限定する助けとなり得る。
【００２４】
[0046]  
図４は、電子機器キャビティ１８を示すためにサイド・アセンブリ１４のうちの一方が取り外された状態の、図２のアセンブリ１０の正面斜視図である。ガスケット２８は、フレーム１２の片面または両面の周囲に延在することができる。ガスケット２８は、サイド・アセンブリ１４が閉位置にあるときに実質的な気密シールをもたらすことができる。ガスケット２８は、電子機器キャビティ１８の実質的な気密シールの維持を可能にすることを確実にする、または助けることができるが、これは必須ではない。
【００２５】
[0047]  
プレート１９は、電子機器キャビティ１８内に配置され、電子部品３０がそれに取り付けられ得る。あるいは、またはそれに加えて、電子機器プレート４２が電子機器キャビティ１８内に配置されてもよい。例示的な実施形態では、電子機器プレート４２は、電子サイド・アセンブリ１４の前面に対して実質的に平行に延在するようにフレーム１２に取り付けられ得る。同様に、例示的な実施形態では、プレート１９は、サイド・アセンブリ１４のうちの１つまたは複数の背面に取り付けられる、またはそれを形成することができる。しかし、プレート１９および電子機器プレート４２のあらゆる位置または向きが企図される。
【００２６】
[0048]  
電子部品３０は、アセンブリ１０およびその様々な構成要素の動作に使用される任意数の部品を備えることができる。そのような電子部品３０としては、これらに限定されないが、電源、配電部品、ビデオ・プレーヤ、映像受信機ボード（ｖｉｄｅｏ  ｒｅｃｅｉｖｅｒ  ｂｏａｒｄ）、プロセッサ、電子記憶装置、通信機器、無線送信機／受信機、ネットワーク接続装置およびプリント回路基板などが挙げられ得る。例示的な実施形態では、いくつかの電子部品３０は、両方のサイド・アセンブリ１４の動作に利用され得る。たとえば、限定として働くわけではないが、少なくとも、ビデオ・プレーヤ、映像受信機ボード、通信機器、無線送信機／受信機、およびネットワーク接続装置が共有され得る。それによって、必要な電子部品３０の数を減少させることができる。例示的な実施形態では、プレート１９または電子機器プレート４２は、サーバ・ラックを備えることができるが、これは必須ではない。
【００２７】
[0049]  
各ヒンジ装置２２は、フレーム・ヒンジ・プレート２６と、第１および第２のディスプレイ・ヒンジ・プレート２４とを備えることができる。フレーム・ヒンジ・プレート２６は、電子機器プレート４２に対して実質的に垂直に延在するように、フレーム１２の両側部の上側部分の外側パネル上に配置され得る。ディスプレイ・ヒンジ・プレート２４は、電子機器プレート４２に対して実質的に垂直に延在するように、各サイド・アセンブリ１４の両側部の上側部分に配置され得る。ディスプレイ・ヒンジ・プレート２４は、フレーム・ヒンジ・プレート２６にあるノッチまたはアパーチャに対応する１つまたは複数のノッチまたはアパーチャを含むことができる。フレーム・ヒンジ・プレート２６とディスプレイ・ヒンジ・プレート２４をヒンジ固定することができるように、任意数の締結具２７がディスプレイ・ヒンジ・プレート２４およびフレーム・ヒンジ・プレート２６の対応するノッチまたはアパーチャを通って延在することができる。締結具２７としては、ねじ付き締結具、ピン、ボルト、ねじ、または釘などが挙げられ得る。これは、単なる例示であり、あらゆるタイプのヒンジ装置２２が企図される。例示的な実施形態では、フレーム・ヒンジ・プレート２６、ディスプレイ・ヒンジ・プレート２４および締結具２７は、サイド・アセンブリ１４をフレーム１２に取り付けるための主な、または単独の機械的取り付けポイントとして機能するように構成され得る。
【００２８】
[0050]  
ヒンジ装置２２は、アセンブリ１０のサービス実施のときのサイド・アセンブリ１４の一方または両方の簡単な取り外しを提供することができる。締結具２７は、単に、サイド・アセンブリ１４の両側部から取り外せばよく、そしてサイド・アセンブリ１４全体を取り外すことができる。さらに、取り外しには、これらに限定されないが、様々な電線と本明細書においてさらに記載されるような他の構成要素との接続解除など、比較的小さな追加のステップしか必要ない。そして、代わりのサイド・アセンブリ１４を設置することができる。設置は、これに限定されないが、移動を含むことがあり、さらに、新しいサイド・アセンブリ１４の設置は、これに限定されないが、上述した様々な電線と本明細書においてさらに記載されるような他の構成要素との接続など、比較的小さな追加のステップしか必要としない。次いで、サービスを受けるべきサイド・アセンブリ１４を、サービス実施のためにサービス・センタに戻すことができる。それによって、アセンブリ１０のダウンタイムを最低限に抑えることができる。
【００２９】
[0051]  
さらに、アセンブリ１０は、動作のために外部電源および通信ネットワークなどへの接続を必要とすることがある。これには、ユーティリティ・ラインへの接続が必要となり得る。例示的な実施形態では、前記ユーティリティ・ラインへの接続は、フレーム１２上、キャビティ１８内、プレート１９上、電子機器プレート４２上または他の場所に配置される別個のコネクタ７２を通して行われ得る。これらのコネクタ７２は、電気配線、イーサネット・ケーブル、電話線、軸ケーブルまたは光ファイバ・ケーブルなどを介して他の様々な電子部品３０に接続され得る。コネクタ７２からのそのような配線の接続解除および再接続は、サイド・アセンブリ１４の取り外しまたは設置のときに必要となり得る。このように、アセンブリ１０のサービスのとき、ユーティリティ・ラインへの接続は妨げられないで済む。例示的な実施形態では、コネクタ７２は、貫通口装置（ｐａｓｓ  ｔｈｒｏｕｇｈ  ｄｅｖｉｃｅ）３５としての役割を果たすこともできる。
【００３０】
[0052]  
図５は、図４のアセンブリ１０内の例示的な流路の図である。図６は、前記例示的な流路をさらに示す、例示的なサイド・アセンブリ１４の上断面図である。各サイド・アセンブリ１４は、所期の観覧者の方に向くカバー・パネル１７を備えることができる。電子ディスプレイ１１は、カバー・パネル１７の背後にそれから間隔を置いて実質的にそれに対して平行に配置され得る。カバー・パネル１７は、あらゆる実質的に透明または半透明の材料からなってよく、複数の層から構成され得る。カバー・パネル１７は、強化された材料からなってよく、またはカバー・パネル１７が破壊行為に対して強くなるように、複数の層同士の間に配置された光学用粘着剤を含むこともできる。電子ディスプレイ１１は、これらに限定されないが、液晶ディスプレイ（ＬＣＤ）、発光ダイオード（ＬＥＤ）ディスプレイ、有機ＬＥＤ（ＯＬＥＤ）ディスプレイまたはプラズマ・ディスプレイなどを含むあらゆるタイプの電子ディスプレイ１１とすることができる。カバー・パネル１７の背面と電子ディスプレイ１１の前面との間の空間は、第１のチャネル２５を画成することができる。サイド・アセンブリ・ハウジング１５は、カバー・パネル１７とサイド・アセンブリ・ハウジング１５の組み合わせが実質的に電子ディスプレイ１１を囲むように、電子ディスプレイ１１を囲繞することができる。サイド・アセンブリ１４のうちの１つまたは複数は、さらに、タッチ入力を受容するように構成されてもよい。たとえば、非限定的に、電子ディスプレイ１１は、静電容量式または抵抗式のタッチ・スクリーンと、前記タッチ・スクリーンの動作に必要な関連の構成要素とを備えてもよいが、あらゆるタイプのタッチ・スクリーンが企図される。
【００３１】
[0053]  
バックライト２１は、電子ディスプレイ１１の背後にそれに対して実質的に平行に配置され得る。バックライト２１は、電子ディスプレイ１１から間隔を置いて配置され得るが、これは必須ではない。第２のチャネル２３は、サイド・アセンブリ１４内に位置しており、周辺空気３８を受けるように構成され得る。第２のチャネル２３は、周辺空気３８がサイド・アセンブリ１４内を上から下または下から上に実質的に垂直方向に流れることを可能にすることができる。例示的な実施形態では、第２のチャネル２３は、少なくとも部分的に、バックライト２１の背面とサイド・アセンブリ・ハウジング１５の背面との間の空間によって画成されるが、あらゆる場所が企図される。
【００３２】
[0054]  
第１および第２のサイド・チャネル３２は、サイド・アセンブリ１４の両側部に沿って延在することができる。サイド・チャネル３２は、循環ガス３６を受けるように構成され得る。例示的な実施形態では、サイド・チャネル３２は、少なくとも部分的に、第２のチャネル２３と、サイド・アセンブリ・ハウジング１５の側部との間の空間によって画成されるが、あらゆる場所が企図される。
【００３３】
[0055]  
フレーム１２の片側部または両側部は、内側サイド・パネルと外側サイド・パネルとの間に位置するサイド・ギャップ１３を含むことができる。したがって、アセンブリ１０は、フレーム１２の各側部に位置する第１および第２のサイド・ギャップ１３を含むことができる。他の例示的な実施形態では、アセンブリ１０は、第１のサイド・ギャップ１３しか含まないことがある。アパーチャは、循環ガス３６が電子機器キャビティ１２からサイド・ギャップ１３に入りそこから出ることができるように、サイド・ギャップ１３を有するフレーム１２の側部の内側パネルに沿って配置され得る。例示的な実施形態では、循環ガス３６は、第１のサイド・ギャップ１３から第１のサイド・チャネル３２を通り、第１のチャネル２５、第２のサイド・チャネル３２、第２のサイド・ギャップ１３そして電子機器キャビティ１８を通って第１のサイド・ギャップ１３へと戻ることができ、したがって閉ループが形成される。アセンブリ１０が第１のサイド・ギャップ１３しか含まない例示的な実施形態では、循環ガス３６は、電子機器キャビティ１８から第１または第２のサイド・チャネル３２に直接入るまたはそこから出ることができる。さらに、循環ガス３６は、分かれて、各個々のサイド・アセンブリ１４内に位置する第１のチャネル２５の中へと移動することができる。換言すると、閉ループは、各サイド・アセンブリ１４を通ってキャビティ１８へと戻ることができる。サイド・ギャップ１３は任意選択であることが注意すべき点である。
【００３４】
[0056]  
１つまたは複数のファン３４は、循環ガス３６を閉ループ内に押し流すように、フレーム１２の側部の内側パネルの前記アパーチャに取り付けられ得るが、任意数のファン３４を循環ガス３６の経路に沿った任意数の場所に配置することができることが企図される。
【００３５】
[0057]  
フレーム１２の底部および頂部は、同じように、上側ギャップ４１および下側ギャップ４０が間に位置する内側パネルと外側パネルを備えることができるが、これは必須ではない。周辺空気３８がアセンブリ１０の外から取り込まれアセンブリ１０の内部から排出され得るように、アパーチャがフレーム１２の底部および頂部の外側パネルに沿って配置され得る。これらのアパーチャは、排気開口９および吸気開口１６を形成することができる。例示的な実施形態では、周辺空気３８は、アセンブリ１０の底部から下側ギャップ４０内に取り込まれ得る。次いで、周辺空気３８は、垂直方向に上に移動してサイド・アセンブリ１４内の第２のチャネル２３を通り上側ギャップ４１内へと移動することができる。次いで、周辺空気３８は、吸気開口１６から排出され、したがって開ループが形成され得る。例示的な実施形態では、周辺空気３８は、分かれて流れ、各個々のサイド・アセンブリ１４内に位置する各第２のチャネル２３を通って移動することができる。
【００３６】
[0058]  
１つまたは複数のファン３４は、周辺空気３８を開ループ内に押し流すように、フレーム１２の底部の外側パネルにある前記アパーチャに取り付けられ得るが、任意数のファン３４を周辺空気３８の経路に沿って任意数の場所に配置することができることが企図される。
【００３７】
[0059]  
サイド・アセンブリ１４が電子ディスプレイである例示的な実施形態では、第２のチャネル２３を流れる周辺空気３８は、バックライト２１と熱的に連通し、そこから発生する熱を吸収することができるが、これは必須ではない。サイド・アセンブリ１４が照明付きのポスター・ホルダである例示的な実施形態では、第２のチャネル２３を流れる周辺空気３８は、照明装置と熱的に連通し、そこから発生する熱を吸収することができるが、これは必須ではない。サイド・アセンブリ１４がカバーであるさらに他の例示的な実施形態では、周辺空気３８は、任意選択で、カバー内に位置する第２のチャネル２３を流れてもよいが、これは必須ではない。いずれにしても、第２のチャネル２３を流れる周辺空気３８は、閉ループ内を流れる循環ガス３６と熱的に連通することができ、それによって比較的低温の周辺空気３８が比較的熱い循環ガス３６から熱を奪うことができる。開ループを流れる周辺空気３８は、閉ループを流れる循環ガス３２と熱的に連通してそこから熱を吸収することができるが、周辺空気３８と循環ガス３２は実質的に混ざり得ない。たとえば、非限定的に、第２のチャネル２３を流れる周辺空気２８は、キャビティ１８を通って流れる循環ガス３８と熱的に連通することができる。
【００３８】
[0060]  
これらに限定されないが、第１のチャネル２５、第２のチャネル２３およびサイド・チャネル３２などの空気流チャネルの使用は、サイド・アセンブリ１４がポスター・ホルダまたはカバーである実施形態では必要としなくてもよいことに留意されよう。そのような実施形態では、空気流は、そうした空気流チャネルを備える残りのサイド・アセンブリ１４内へと導かれ得る。そのようなサイド・アセンブリ１４が用いられない場合は、空気流は、単にキャビティ１８内を循環してよい。いくつかの例示的な実施形態では、ポスター・ホルダまたはカバーは、やはりまた上述の空気流チャネルのいくつかまたはすべてを用いることもできる。いずれにしても、用いるファンの数は、空気流チャネルの使用数に対応できるように減少または増加させることができる。
【００３９】
[0061]  
図７は、アセンブリ１０の他の例示的な実施形態の図１と同様の正面斜視図であり、切断線Ａ−ＡおよびＢ−Ｂも示している。
【００４０】
[0062]  
図８は、両方のサイド・アセンブリ１４が開位置にある、図７のアセンブリ１０の正面斜視図である。プレート１９は、サイド・アセンブリ１４のうちの一方に取り付けられ得る。他の例示的な実施形態では、プレート１９は、サイド・アセンブリ１４の一部を形成することができる。電子部品３０のうちの多くまたはすべては、ここでもやはり、サイド・アセンブリ１４によって共有され得る。
【００４１】
[0063]  
共有される電子部品３０は、プレート上に配置され得るが、これは必須ではない。例示的な実施形態では、（たとえば、両方のサイド・アセンブリ１４が電子ディスプレイを備える、または両方のサイド・アセンブリ１４がポスター・ホルダを備える場合）、サイド・アセンブリ１４上または内部に配置される電子部品３０も含めて、同じタイプのサイド・アセンブリ１４（たとえば、電子ディスプレイ、ポスター・ホルダまたはカバー）は、同じタイプの前向きまたは後向きのサイド・アセンブリ１４について実質的に同一であり、したがって２つを相互に入れ替えることができる。このように、あらゆるそのタイプのサイド・アセンブリ１４の交換に使用されるべき単一のタイプのサイド・アセンブリ１４、または異なるタイプのサイド・アセンブリ１４で支障なく置換され得る。たとえば、非限定的に、別々の前面および背面のサイド・アセンブリ１４を、１つのアセンブリ１０の予備として用意する必要がない。そうではなく、単一の予備のサイド・アセンブリ１４を、前面または背面のサイド・アセンブリ１４のどちらの交換にも使用することができる。これは、追加の予備のサイド・アセンブリ１４を用意しておく必要性を低減させることができる。換言すると、電子ディスプレイを備えるサイド・アセンブリ１４をアセンブリの前面または背面のどちらにも配置することができる。同様に、電子ディスプレイを備えるサイド・アセンブリ１４は、カバーを備えるサイド・アセンブリ１４で支障なく代用することができる。
【００４２】
[0064]  
図９は、図８のアセンブリの正面分解斜視図である。電子機器プレート４２は、フレーム１２に取り付けられ得るが、これは必須ではない。電子機器プレート４２は、電子機器キャビティ１８の上側部分内に配置され得るが、あらゆる場所が企図される。電子機器プレート４２は、サイド・アセンブリ１４が閉位置にあるとき、サイド・アセンブリ１４の前面に対して実質的に平行に延在するように取り付けられ得る。電子機器プレート４２は、それに取り付けられ得る電子機器部品３０および追加の電子部品４４を受容するように構成され得る。例示的な実施形態では、追加の電子部品４４は、顧客固有もしくは顧客設置の電子部品、またはアセンブリ１０の動作のための他の部品を含むことができる。しかし、これらに限定されないが、コンピュータ、プロセッサ、ルータ、サーバ、マシン間通信機器、無線接続装置、Ｂｌｕｅｔｏｏｔｈ接続装置、近距離無線通信装置、カメラ、電子記憶装置、メモリなどあらゆるタイプの電子部品４４および３０が企図される。例示的な実施形態では、電子機器プレート４２は、これらに限定されないが、１Ｕサーバ・ラックのようなサーバ・ラックを備えることができる。
【００４３】
[0065]  
サイド・アセンブリ１４を開位置にすることで、電子機器キャビティ１８、プレート１９、電子機器プレート４２、関連の電子部品３０および追加の電子部品４４のサービスを実施することができるようになる。さらに、サイド・アセンブリ１４自体は、上述のようなヒンジ装置２２からディスプレイ・アセンブリを取り外すことによってサービスを実施することができる。
【００４４】
[0066]  
フレーム１２内、またはキャビティ１８を画成する他の壁内には、電力線、通信回線などが外部からキャビティ１８内に通されるように、様々な貫通口装置３５が配置され得る。これらの貫通口装置３５は、実質的に気密かつ水密なシールをもたらすように構成され得るが、これは必須ではない。他の実施形態では、貫通口装置３５は、あるレベルの入退出の防止をもたらすことができる。前記貫通口装置３５の任意の数および場所が企図される。これは、アセンブリ１０における入出ポイントの数を減らし、ケーブル配線を簡単にする助けとなり得る。貫通口装置３５は、配線およびケーブル配線のための接続／接続解除ポイントをもたらすことができる。キャビティ１８は、これらに限定されないが、追加の電子部品４４および電子部品３０などの電子部品を取り付けるための、実質的に封止され、冷却され、接続されかつ／または電力供給される電子機器キャビティ１８をもたらすことができる。
【００４５】
[0067]  
図９は、周辺空気３８のためのファン３４が、フレーム１２の頂部の上側ギャップ４１のアパーチャ内に配置され得る例示的なアセンブリ１０を示している。
【００４６】
[0068]  
図１０は、図７の線Ａ−Ａに沿った断面図であり、サイド・アセンブリ１４が電子ディスプレイを備える、閉位置にある例示的なサイド・アセンブリ１４を示している。第２のチャネル２３は、バックライト２１と電子機器キャビティ１８との間に配置される波形層４６を備えることができる。周辺空気３８は、波形層４６を通過することができる。図１０に示されるように、アセンブリ１０は、第１のサイド・ギャップ１３しか備えなくてもよい。第１のサイド・ギャップ１３は、アセンブリ１０の両側部に配置される、またはまったく必要なくてもよいことが企図される。さらに、波形層４６は、ポスター・ホルダまたはカバーを備えるサイド・アセンブリ１４内に使用されてもよいことが企図される。
【００４７】
[0069]  
図１１は、図７の切断線Ｂ−Ｂに沿った側断面図である。図１１に示されるような下側ギャップ４０は任意選択である。そうではなく、周辺空気３８は、吸気開口４１から入ってサイド・アセンブリ１４内に直接吸い込まれ、そこで第２のチャネル２３を通って上側ギャップ４１の方に移動し排気開口９から出てもよい。あるいは、空気は、排気開口９から入って吸気開口４１から出てもよい。
【００４８】
[0070]  
図１２Ａおよび図１２Ｂは、他の例示的なアセンブリ１０の背面斜視図である。図１２Ａおよび図１２Ｂは、サイド・アセンブリ１４が実質的な水平軸または実質的な垂直軸に沿って外側にどのように回転することができるかを示している。サイド・アセンブリ１４は、アクセス・パネルとして機能することができる。サイド・アセンブリ１４がカバーである例示的な実施形態では、サイド・アセンブリ１４は、シート・メタルまたは黒色ガラスからなり得るが、あらゆるタイプの材料が企図される。黒色ガラスを含む例示的な実施形態では、黒色ガラスは、１つまたは複数の透明または半透明のパネルから構成され、その場合、パネルのうちの１つまたは複数は、黒インクによる印刷が施されている。例示的な実施形態では、パネルには、別法として、またはそれに加えて、ロゴまたは他の情報が印刷されてもよい。パネルは、強化された材料からなってよく、またはカバーが破壊行為に対して強くなるように２枚のパネル同士の間に配置された光学用粘着剤を含んでもよい。
【００４９】
[0071]  
サイド・アセンブリ１４が静的なポスターを保持するように構成されるポスター・ホルダを備える他の例示的な実施形態では、サイド・アセンブリ１４は、透明カバーを備えることができる。透明カバーは、プレートの上に、それとの間にポスターを保持するように構成され得るポスター・キャビティを画成するように配置される。照明装置は、ポスター・キャビティ内、周りまたはそれに沿って配置され、ポスターを照明するバックライト照明またはエッジ照明を提供することができる。
【００５０】
[0072]  
例示的な実施形態では、サイド・アセンブリ１４は、（図１２Ａに示されるような）水平方向、または（図１２Ｂに示されるような）垂直方向に揺動して開くことができる。サイド・アセンブリ１４が垂直方向に揺動して開く例示的な実施形態では、支援装置２０は、同様に、サイド・アセンブリ１４の開位置と閉位置との間の動きならびにサイド・アセンブリ１４の開位置および閉位置での固定を助けることに使用され得る。
【００５１】
[0073]  
周辺空気３８の流れおよび循環ガス３６の流れは、特定の方向および向きについて本明細書に図示され記載されているが、周辺空気３８および循環ガス３６は、他の方向に流れることもできることが企図される。たとえば、非限定的に、時計回りに流れるように図示される周辺空気３８および循環ガス３６は、反時計回りに流れてもよく、上から下に垂直方向に流れると図示されていても、下から上に流れてもよく、右から左に水平方向に流れると図示されていても、左から右に流れてもよく、垂直方向に流れると図示されていても、水平方向に流れてもよく、水平方向に流れると図示されていても垂直方向に流れてもよいなどとすることができる。
【００５２】
[0074]  
アセンブリ１０、またはその様々な構成要素は、任意の適用例においてあらゆるサイズのサイド・アセンブリ１４に適用および／または使用することができる。たとえば、限定として働くわけではないが、アセンブリ１０、またはその様々な構成要素は、参照により本明細書にその全体が組み込まれる、２０１７年３月６日出願の米国特許出願第１５／４５０，３６５号において図示され記載されるような車両トッパ・ユニットに適用および／または使用することができる。
【００５３】
[0075]  
図１３は、他の例示的なアセンブリ１００の正面斜視図であり、細部Ａも示している。図１３から図１８Ｂは、上述のような車両トッパ・ユニットでの使用についてのアセンブリ１０の適用を示し、説明している。同様の特徴には同様の番号が付いているが１００だけ増加している（たとえば、アセンブリ１０およびアセンブリ１００）。アセンブリ１００は、矩形であってよいフレーム１１２を備えることができるが、あらゆる形状が企図される。フレーム１１２は、ハウジングを形成するクラッドによって覆われ得る。クラッドは、見栄えの良さを提供し、また、空気力学を向上させることができる。フレーム１１２は、車両ルーフに取り付けられるように適用され得るが、これは必須ではない。第１および第２のサイド・アセンブリ１１４は、フレーム１１２に取り付けられ得るが、任意数のサイド・アセンブリ１１４が企図される。例示的な実施形態では、第１および第２のサイド・アセンブリ１１４は、フレーム１１２の両側に背合わせに配置される。アセンブリ１００は、一対の取り付け装置１５０をさらに備えることができる。例示的な実施形態では、取り付け装置１５０は、フレーム１１２の下側に配置され、車両ルーフへのアセンブリ１００の取り付けを可能にするように構成される脚部とすることができるが、あらゆるタイプの取り付け装置１５０が企図される。
【００５４】
[0076]  
ファン１３４は、フレーム１１２のアパーチャのところに配置され、周辺空気１３８の取り込みを可能にするように構成され得る。周辺空気１３８は、取り込まれた後、サイド・アセンブリ１１４内のチャネルを通って水平方向に移動し、フレーム１１２の他の端にあるアパーチャから出ることができる。これは、開ループを形成することができる。ファン１３４は、周辺空気１３８の経路に沿ったあらゆる場所に配置され得ることが企図される。
【００５５】
[0077]  
図１４は、サイド・アセンブリ１１４のうちの１つが開位置にある、図１３のアセンブリ１００の正面斜視図である。サイド・アセンブリ１１４は、ヒンジ装置１２２によってフレーム１１２にヒンジ取り付けされ得る。ヒンジ装置１２２によって、サイド・アセンブリ１１４は、それぞれのサイド・アセンブリ１１４がフレーム１１２に当接もしくはそれに近接して配置されるおよび／またはそれぞれのサイド・アセンブリ１１４の前面が地面に対して実質的に垂直な、閉位置と、それぞれのサイド・アセンブリ１１４がフレーム１１２から外側に回転しているおよび／またはサイド・アセンブリ１１４の少なくとも１つの縁がフレーム１１２から遠ざかるように動かされている、開位置との間で動くことができる。ガスケット１２８は、サイド・アセンブリ１１４と接触するフレーム１１２の面の周囲に延在することができる。ガスケット１２８は、サイド・アセンブリ１１４が閉位置に配置されているとき、電子機器キャビティ１１８内に実質的な気密シールをもたらすように構成され得る。
【００５６】
[0078]  
電子機器キャビティ１１８は、サイド・アセンブリ１１４の背面同士の間に位置することができる。電子機器キャビティ１１８は、プレート１４２を備えることができる。プレート１４２は、それに取り付けられ得るいくつかの電子部品１３０または追加の電子部品１４４を受容するように構成される。例示的な実施形態では、プレート１４２は、フレーム１１２に取り付けられ得る。他の実施形態では、プレート１４２は、サイド・アセンブリ１１４のうちの１つに取り付けられる、またはその一部を形成することができる。キャビティ１１８を画成する壁内には、電力線、通信回線などが外部からキャビティ１１８内に通されるように、様々な貫通口装置１３５が配置され得る。貫通口装置１３５は、実質的に気密かつ水密なシールをもたらす、または他のやり方で入退出の防止をもたらすように構成され得る。これは、アセンブリ１００における開口ポイントの数を減らし、ケーブル配線を簡単にする助けとなり得る。さらに、貫通口装置１３５は、サイド・アセンブリ１１４のサービス実施のために配線を外すための単一もしくは限定数の接続または接続解除ポイントをもたらすことができる。例示的な実施形態では、電子機器キャビティ１１８は、これらに限定されないが、電子部品１３０および追加の電子部品１４４などの電子部品のための、冷却され、電力供給され、接続され、および／または封止された領域をもたらすことができる。
【００５７】
[0079]  
電子機器キャビティ１１８は、サイド・アセンブリ１１４のどちらかまたは両方が開位置に配置されると露出することができる。それによって、電子機器キャビティ１１８、プレート１４２および電子部品１３０へのアクセスが可能になり、作業員は、内部に配置されている電子部品１３０のサービスを実施することができる。例示的な実施形態では、サイド・アセンブリ１１４は、ロック解除されない限り通常はそれぞれのサイド・アセンブリ１１４が閉位置から動かされないように、フレーム１１２に選択的にロックされ得る。これは、電子機器キャビティ１１８へのアクセスを、許可された作業員に限定する助けとなり得る。
【００５８】
[0080]  
フレーム１１２は、内面と外面を含むことができる。例示的な実施形態では、下側ギャップ１４０は、フレーム１１２の内面と外面との間の空間内にその下側部分に沿って位置することができる。換言すると、下側ギャップ１４０は、電子機器キャビティ１１８の底部とフレーム１１２の底部との間に位置することができる。
【００５９】
[0081]  
図１５は、サイド・アセンブリ１１４の両方が開位置にある、図１３のアセンブリ１００の背面斜視図であり、細部Ｂも示している。第１および第２のストラット１５２は、フレーム１１２と各個々のサイド・アセンブリ１１４との間に延在することができる。他の例示的な実施形態では、一対のストラット１５２が各個々のサイド・アセンブリ１１４に使用され得る。ストラット１５２は、それぞれのサイド・アセンブリ１１４を開位置に一時的に固定するように構成され得るが、それぞれのサイド・アセンブリ１１４を閉位置に一時的に固定するように構成され得ることも企図される。あるいは、支援装置２０のいずれかをストラット１５２と組み合わせて、またはストラット１５２の代わりに用いてもよい。
【００６０】
[0082]  
例示的な実施形態では、ストラット１５２は、各個々のサイド・アセンブリ１１４に回転可能に取り付けられ得る。ストラット１５２は、ピン、軸受、ヒンジまたは締結具などを用いて回転可能に取り付けられ得るが、あらゆる装置または取り付け構造が企図される。いずれにしても、ストラット１５２は、各個々のサイド・アセンブリ１１４を開位置で支持するまたは別のやり方で保持するように、各個々のサイド・アセンブリ１１４に一時的に固定されるように構成され得る。ストラット１５２は、各個々のサイド・アセンブリ１１４に取り付けられフレーム１１２に一時的に固定されるとして述べられているが、そうではなく、ストラット１５２は、フレーム１１２に取り付けられ、各個々のサイド・アセンブリ１１４に一時的に固定されてもよいことが企図される。
【００６１】
[0083]  
図１６は、サイド・アセンブリ１１４のうちの１つが取り外されている状態の、図１４のアセンブリ１００の正面斜視図である。循環ガス１３６は、電子機器キャビティ１１８内を垂直方向に流れ、そこで分かれて各個々のサイド・アセンブリ１１４内を通って流れることができる。例示的な実施形態では、循環ガス１３６は、各個々のサイド・アセンブリ１１４のカバー・ガラスと電子ディスプレイとの間のチャネルを通って流れる。次いで、循環ガス１３６は、下側ギャップ１４０内を通り、フレーム１１２の内面にあるアパーチャを通って電子機器キャビティ１１８へと戻ることができ、したがって閉ループが形成される。例示的な実施形態では、フレーム１１２のこれらのアパーチャは、閉ループ内で循環ガス１３６を移動させるようにアパーチャに取り付けられるファン１３４を有することができるが、ファン１３４は、循環ガス１３６の経路に沿った他の場所に配置されてもよいことが企図される。
【００６２】
[0084]  
参照によりその全体が本明細書に組み込まれる、２０１７年３月６日出願の米国特許出願第１５／４５０，３６５号には、これに限定されないが、周辺空気と循環ガスのための開ループ経路および閉ループ経路を含むアセンブリ１００の例示的な熱管理システムが記載されている。
【００６３】
[0085]  
サイド・アセンブリ１１４のうちのどちらかまたは両方が、電子ディスプレイ、ポスター・ホルダまたはカバーを備えることができることが企図される。さらに、サイド・アセンブリ１１４の動作に使用される電子部品１３０のうちのいくつかまたはすべてがプレート１４２上に配置され得ることが企図される。やはりまた、アセンブリ１００の左側または右側に配置されるサイド・アセンブリ１１４が支障なく置換可能なように、同じタイプのサイド・アセンブリ１１４（たとえば、電子ディスプレイ、ポスター・ホルダまたはカバーを備える）が実質的に同一であってよいことも企図される。
【００６４】
[0086]  
図１７は、図１３の細部Ａの詳細な上面斜視図である。ヒンジ装置１２２は、第１および第２のディスプレイ・ヒンジ・プレート１５６と、第１のフレーム・ヒンジ・プレート１５４と、第２のフレーム・ヒンジ・プレート１５８とを備えることができる。第１および第２のディスプレイ・ヒンジ・プレート１５６のそれぞれは、実質的に「Ｌ」字形であってよく、それぞれのサイド・アセンブリ１１４の背面と第１のフレーム・ヒンジ・プレート１５４との間に延在するように構成され得る。第１のフレーム・ヒンジ・プレート１５４は、フレーム１１２の両端に取り付けられ得る。任意選択で、第２のフレーム・ヒンジ・プレート１５８は、第１および第２のディスプレイ・ヒンジ・プレート１５６が第１のフレーム・ヒンジ・プレート１５４と第２のフレーム・ヒンジ・プレート１５８との間に挟まれるように、第１および第２のディスプレイ・ヒンジ・プレート１５６のもう一方側に配置され得る。第２のディスプレイ・ヒンジ・プレート１５６は、必要なくてよいが、追加の強度および安定性をもたらすことに使用され得ることも企図される。さらに、第２のヒンジ・プレート１５８は、バックストップとして機能するようにサイド・アセンブリ１１４の一部分の背後に延在するように構成されてもよい。
【００６５】
[0087]  
第１の締結具１２７は、第１のフレーム・ヒンジ・プレート１５４、第１のディスプレイ・ヒンジ・プレート１５６および第２のフレーム・ヒンジ・プレート１５８を通って延在することができる。同様に、第２の締結具１２７は、第１のフレーム・ヒンジ・プレート１５４、第２のディスプレイ・ヒンジ・プレート１５６および第２のフレーム・ヒンジ・プレート１５８を通って延在することができる。締結具１２７は、第１および第２のディスプレイ・ヒンジ・プレート１５６の回転運動を可能にするピンまたは他の装置とすることができる。例示的な実施形態では、第２のフレーム・ヒンジ・プレート１５８は、それぞれのサイド・アセンブリ１１４が閉位置に一時的に固定され得るように、それぞれのサイド・アセンブリ１１４に選択的に固定され得る。フレーム・ヒンジ・プレート１５６、ディスプレイ・ヒンジ・プレート１５４および締結具１２７は、それぞれのサイド・アセンブリ１１４の全重量または実質的な全重量を支承するように構成され得る。
【００６６】
[0088]  
ヒンジ装置１２２の設計は、アセンブリ１００のサービスのときにサイド・アセンブリ１１４のうちの一方または両方の簡単な取り外しを提供することができる。締結具１２７をそれぞれのサイド・アセンブリ１１４の両側部から取り外すことができ、そしてサイド・アセンブリ１１４全体を取り外すことができる。さらに、他のステップとともに、配線の接続解除が必要となり得る。次いで、代わりのサイド・アセンブリ１１４を設置することができる。さらに、他のステップとともに、配線の接続が必要となり得る。次いで、サービスを受けるべきサイド・アセンブリ１１４を、サービス実施のためにサービス・センタに戻すことができる。これは、アセンブリ１００のダウンタイムを最低限に抑えることができる。
【００６７】
[0089]  
図１８Ａは、図１５の細部Ｂの詳細な斜視図であり、他の状態に隠されているストラット１５２も示している。図１８Ｂは、サイド・アセンブリ１１４が開位置にある、図１８Ａのアセンブリ１００の上面斜視図である。図面に見られるように、ストラット１５２は、支持位置と収納位置との間で動くことができる。ストラット１５２は、サイド・アセンブリ１１４が閉位置にあるとき、サイド・アセンブリ１１４に対して実質的に整列するように、収納位置へと回転され得る。このように、ストラット１５２は、サイド・アセンブリ１１４を開位置に保つことに使用されなくなると、サイド・アセンブリ１１４の重量をそれ以上支承しなくなり、それぞれのサイド・アセンブリ１１４内に収納され得る。ストラット１５２は、サイド・アセンブリ１１４を開位置で支える、または別のやり方で保持することができるように、フレーム１１２に対してある角度に固定される支持位置へと回転され得る。例示的な実施形態では、ストラット１５２は、それぞれのサイド・アセンブリ１１４を開位置で支えるまたは保持するようにサイド・アセンブリ１１４の重量のいくらかまたはすべてを支承するように、フレーム１１２上に配置された対応するブラケットまたは溝に一時的に固定されるように構成されるノッチ１５３を備えることができる。
【００６８】
[0090]  
図１９Ａから図２０は、アセンブリ２１０の他の例示的な実施形態を示している。同様の特徴には同様の数字が付いているが１００だけ増加している（たとえば、アセンブリ１０および１１０は、アセンブリ２１０になる）。アセンブリ２１０は、周辺空気のための第２の開ループ・チャネル２６２を備えることができる。第２の開ループ・チャネル２６２は、サイド・アセンブリ２１４のうちの１つまたは複数内に配置され得る。第２の開ループ・チャネル２６２は、例示的な実施形態ではカバーまたはポスター・ホルダを備えるサイド・アセンブリ２１４内に配置されるが、デジタル・ディスプレイを備えるものも含め、あらゆるサイド・アセンブリ２１４内に配置され得ることが企図される。第２の開ループ・チャネル２６２は、開ループ・チャネル・カバー２６４の背後に配置され得る。開ループ・チャネル・プレート２６６は、前記開ループ・チャネル・カバー２６４の背後に配置され得る。例示的な実施形態では、開ループ・チャネル・プレート２６６は、開ループ・チャネル・カバー２６４から間隔を置いてそれに対して実質的に平行に配置される。開ループ・チャネル・カバー２６４は、開ループ・チャネル・プレート２６６と実質的に同じ表面積を有することができるが、これは必須ではない。例示的な実施形態では、開ループ・チャネル・カバー２６４は、図１９Ｂに示されるようなアセンブリ２１０のそれぞれの面および／またはそれぞれのサイド・アセンブリ２１４の最外表面とすることができる。しかし、他の例示的な実施形態では、図１９Ａに示されるように、開ループ・チャネル・カバー２６４の上に外側カバー２６８が配置され得る。そのような実施形態では、外側カバー２６８は、開ループ・チャネル・カバー２６４全体に対して実質的に平行に位置決めされ、そこから間隔を置いて配置され、それを覆うことができるが、これは必須ではない。
【００６９】
[0091]  
いずれにしても、第２の開ループ・チャネル２６２は、開ループ・チャネル・カバー２６４と開ループ・チャネル・プレート２６６との間の空間によって画成され得る。第２の開ループ・チャネル２６２は、１つまたは複数のサイド・パネル２７０をさらに備えることができる。１つまたは複数のサイド・パネル２７０は、さらに第２の開ループ・チャネル２６２を画成するように開ループ・チャネル・カバー２６４と開ループ・チャネル・プレート２６６との間に延在するように構成される。
【００７０】
[0092]  
これに限定されないが開ループ・チャネル・カバー２６４または開ループ・チャネル・プレート２６６に取り付けられるような任意数の電子部品または電子機器２４４または２３０は、第２の開ループ・チャネル２６２内またはその近くに配置され得る。そのような電子部品または電子機器２４４または２３０としては、電源またはパワー・モジュールが挙げられ得るが、あらゆる電子部品または電子機器が企図される。第２の開ループ・チャネル２６２は、サイド・アセンブリ２１４、電子部品または電子機器２４４または２３０、およびアセンブリ２１０の他の構成要素からの熱を、第２の開ループ・チャネル２６２を流れる周辺空気に伝達するように構成され得る。第２の開ループ・チャネル２６２は、伝熱を促進するように構成される表面特徴、材料または構成要素を備えることができるが、これは必須ではない。それらとしては、非限定的に、フィン、熱伝導材料、熱交換器などが挙げられ得る。例示的な実施形態では、開ループ・チャネル２６２は、波形層２４６を備えることができる。周辺空気の流れを第２の開ループ・チャネル２６２内に押し流すまたは促進するように、任意数のファン２３４が第２の開ループ・チャネル２６２近くまたはそれに沿った任意の位置に配置され得ることが企図される。
【００７１】
[0093]  
例示的な実施形態では、周辺空気２３８は、アセンブリ２１０またはそれぞれのサイド・アセンブリ２１４の頂部または頂部付近からアセンブリ２１０に入ることができる。同様に、例示的な実施形態では、周辺空気２３８は、第２の開ループ・チャネル２６２内を垂直方向に下方に流れるように、アセンブリ２１０またはそれぞれのサイド・アセンブリ２１４の底部または底部付近から排出されてもよい。他の例示的な実施形態では、周辺空気２３８は、第２の開ループ・チャネル２６２内を垂直方向に上方に流れることができるように、アセンブリ２１０またはそれぞれのサイド・アセンブリ２１４の底部または底部付近からアセンブリ２１０またはそれぞれのサイド・アセンブリ２１４に入り、アセンブリ２１０またはそれぞれのサイド・アセンブリ２１４の頂部または頂部付近から排出され得る。第２の開ループ・チャネル２６２は、吸気開口２４１および排気開口２０９を共有することができ、したがって、周辺空気は、共通の吸気開口２４１から入り、分かれて２つのサイド・アセンブリ２１４内へと続く流路内を流れる。他の例示的な実施形態では、第２の開ループ・チャネル２６２は、別々の吸気開口および排気開口を有することができる。
【００７２】
[0094]  
反対向きのサイド・アセンブリ２１４は、バックライト２２１の正面に配置される電子ディスプレイ２１１を備えることができる。循環ガス２３６は、電子ディスプレイ２１１とカバー・パネル２１７との間の空間によって画成される第１のチャネル２２５を通ることができる。循環ガス２３６は、サイド・アセンブリ２１４同士の間に位置するキャビティ２１８内を通ることができる。キャビティ２１８は、閉ループ経路内に循環ガスを流すための１つまたは複数のファン２３４を収容することができる。キャビティ２１８は、さらに、電子部品２３０または２４４と、その取り付けのための電子機器プレート２４２とを備えることができる。キャビティ２１８は、１つまたは複数の伝熱装置２８２を備えることができるが、これは必須ではない。そのような実施形態では、周辺空気２３８は、伝熱装置２８２内に通されてもよいが、これは必須ではない。
【００７３】
[0095]  
図１９Ａから図２０に示され記載されるサイド・アセンブリ２１４の実施形態は、本明細書において図示または記載される他のサイド・アセンブリ１４および１１４の実施形態に関して図示または記載される特徴と同じであってよく、またはそれらの特徴を含むことができるが、これは必須ではない。図示もしくは記載の実施形態、またはその特徴のいずれも、本明細書に図示または記載の他の実施形態のいずれかに用いることができる。
【００７４】
[0096]  
例示的な実施形態では、アセンブリ２１０は、高い位置に下向き角度に取り付けることができる。例示的な実施形態では、アセンブリ２１０は、標識、柱、街灯、街路用固定具（ｓｔｒｅｅｔ  ｆｉｘｔｕｒｅ）、歩道用固定具（ｓｉｄｅｗａｌｋ  ｆｉｘｔｕｒｅ）、建物、構造物、地面などに取り付けることができるが、あらゆる表面への取り付けが企図される。アセンブリ２１０は、地面の方に向いたサイド・アセンブリ２１４が下を通行する人から見えるように、下向き角度に配置することができる。下向き角度は、実質的に５０度とすることができるが、あらゆる角度が企図される。
【００７５】
[0097]  
そのような実施形態では、第２の開ループ・チャネル２６２は、通常最も大きな太陽光負荷を受けることになるサイド・アセンブリ２１４上に配置され得る。たとえば、非限定的に、第２の開ループ・チャネル２６２は、取り付け後に普通は上を向くことになるサイド・アセンブリ２１４上に配置され得るが、サイド・アセンブリ２１４のうちのどちらかまたは両方に配置され得ることも企図される。そのような実施形態は、主に太陽光負荷を上向きのサイド・アセンブリ２１４上に受けるので、これに限定されないが高い位置に下向き角度に取り付けられる例示的なアセンブリ２１０と一緒に使用することができる。このように、第２の開ループ・チャネル２６２は、上向きのサイド・アセンブリ２１４上に受ける太陽光負荷のいくらかまたはすべてを除去するように構成され得る。そのような実施形態では、上向きのサイド・アセンブリ２１４は、第２の開ループ・チャネル２６２とカバーを備えることができ、下向きのサイド・アセンブリ２１４は、電子ディスプレイまたはバックライト付きの静的なポスターを備えることができるが、サイド・アセンブリ２１４のあらゆる組み合わせが企図される。
【００７６】
[0098]  
本発明の任意の実施形態は、本発明の他の実施形態のいかなる任意選択または好ましい特徴も含むことができる。本明細書に開示の例示的な実施形態は、本発明の範囲に対する排他的または不必要な限定を意図するものではない。例示的な実施形態は、当業者が本発明を実施できるように本発明の原理を説明するために選択され説明されている。本発明の例示的な実施形態が図示され説明されているので、当業者には、記載の発明に様々な変更および修正を加えることができると理解されよう。それらの変形形態および修正形態の多くは、同じ結果を提供することとなり、特許請求される発明の趣旨の範囲に入ることになる。したがって、本発明は、特許請求の範囲によってのみ限定される。
【図１】
0006858276.tif 000002
【図２】
0006858276.tif 000003
【図３】
0006858276.tif 000004
【図４】
0006858276.tif 000005
【図５】
0006858276.tif 000006
【図６】
0006858276.tif 000007
【図７】
0006858276.tif 000008
【図８】
0006858276.tif 000009
【図９】
0006858276.tif 000010
【図１０】
0006858276.tif 000011
【図１１】
0006858276.tif 000012
【図１２Ａ】
0006858276.tif 000013
【図１２Ｂ】
0006858276.tif 000014
【図１３】
0006858276.tif 000015
【図１４】
0006858276.tif 000016
【図１５】
0006858276.tif 000017
【図１６】
0006858276.tif 000018
【図１７】
0006858276.tif 000019
【図１８Ａ】
0006858276.tif 000020
【図１８Ｂ】
0006858276.tif 000021
【図１９Ａ】
0006858276.tif 000022
【図１９Ｂ】
0006858276.tif 000023
【図２０】
0006858276.tif 000024